【手続補正書】
【提出日】平成18年8月2日(2006.8.2)
【手続補正１】
【補正対象書類名】特許請求の範囲
【補正対象項目名】全文
【補正方法】変更
【補正の内容】
【特許請求の範囲】
【請求項１】
電子回路を内蔵する機器本体(1)と、この機器本体(1)に脱着できるように連結される消耗部品(2)とを備えており、
消耗部品(2)は、機器本体(1)に装着されて通電されると、連続的にアナログ値の電気特性が変動する特性変動アナログ素子(5)を内蔵しており、
機器本体(1)は、消耗部品(2)の特性変動アナログ素子(5)に通電する通電部(3)と、この通電部(3)に通電される特性変動アナログ素子(5)の変動する電気特性を検出する検出部(4)を内蔵しており、
消耗部品(2)が機器本体(1)に装着される状態で、機器本体(1)の検出部(4)が、消耗部品(2)の特性変動アナログ素子(5)の経時的に変動する電気特性を検出し、検出された電気特性から消耗部品(2)を正規部品と規格外部品とに識別する消耗部品の識別装置。
【請求項２】
特性変動アナログ素子(5)が、通電される時間をパラメータとして電気特性を変化させる素子である請求項１に記載される消耗部品の識別装置。
【請求項３】
特性変動アナログ素子(5)が、通電される電流をパラメータとして電気特性を変化させる素子である請求項１に記載される消耗部品の識別装置。
【請求項４】
特性変動アナログ素子(5)が、通電される状態で印加される電圧をパラメータとして電気特性を変化させる素子である請求項１に記載される消耗部品の識別装置。
【請求項５】
特性変動アナログ素子(5)が、通電されると静電容量が変動する素子である請求項１に記載される消耗部品の識別装置。
【請求項６】
特性変動アナログ素子(5)が、通電されると電気抵抗が変動する素子である請求項１に記載される消耗部品の識別装置。
【請求項７】
特性変動アナログ素子(5)が、通電されるとインダクタンスが変動する素子である請求項１に記載される消耗部品の識別装置。
【請求項８】
機器本体(1)の通電部(3)が、特性変動アナログ素子(5)に一定の電流を通電する回路である請求項１に記載される消耗部品の識別装置。
【請求項９】
機器本体(1)の通電部(3)が、特性変動アナログ素子(5)に通電する電流を時間を関数として変化させる回路である請求項１に記載される消耗部品の識別装置。
【請求項１０】
機器本体(1)の通電部(3)が、特性変動アナログ素子(5)にパルス電流を流す回路である請求項１に記載される消耗部品の識別装置。
【請求項１１】
機器本体(1)の通電部(3)が、特性変動アナログ素子(5)に供給する電圧を変化させる回路である請求項１に記載される消耗部品の識別装置。
【請求項１２】
機器本体(1)の通電部(3)が、特性変動アナログ素子(5)に一定の電圧を供給する回路である請求項１に記載される消耗部品の識別装置。
【請求項１３】
機器本体(1)の検出部(4)が、経時的に複数回にわたって特性変動アナログ素子(5)の電気特性を検出する請求項１に記載される消耗部品の識別装置。
【請求項１４】
機器本体(1)の検出部(4)が、特性変動アナログ素子(5)の電気抵抗の変化を検出する請求項１に記載される消耗部品の識別装置。
【請求項１５】
特性変動アナログ素子(5)と分圧抵抗を直列接続して電力を供給し、特性変動アナログ素子(5)に印加される電圧を検出する請求項１に記載される消耗部品の識別装置。
【請求項１６】
電子回路を内蔵する機器本体(1)に脱着できるように連結される消耗部品(2)であって、
消耗部品(2)は、機器本体(1)に装着されて通電されると、連続的にアナログ値の電気特性が変動する特性変動アナログ素子(5)を内蔵しており、
消耗部品(2)が機器本体(1)に装着される状態で、機器本体(1)により、消耗部品(2)の特性変動アナログ素子(5)の経時的に変動する電気特性が検出され、検出された電気特性から正規部品と識別される消耗部品。
【請求項１７】
電子回路を内蔵する機器本体(1)と、この機器本体(1)に脱着できるように連結される消耗部品(2)とを備えており、
消耗部品(2)は、機器本体(1)に装着されて通電されると、連続的にアナログ値の電気特性が変動して電圧が変動する特性変動アナログ素子(5)を内蔵しており、
機器本体(1)は、消耗部品(2)の特性変動アナログ素子(5)に通電する通電部(3)と、この通電部(3)に通電される特性変動アナログ素子(5)の変動する電圧を検出する検出部(4)を内蔵しており、
消耗部品(2)が機器本体(1)に装着される状態で、機器本体(1)の検出部(4)が、消耗部品(2)の特性変動アナログ素子(5)の経時的に変動する電圧を検出し、検出された電圧から消耗部品(2)を正規部品と規格外部品とに識別する消耗部品の識別装置。
【請求項１８】
電子回路を内蔵する機器本体(1)に脱着できるように連結される消耗部品(2)であって、
消耗部品(2)は、機器本体(1)に装着されて通電されると、連続的にアナログ値の電気特性が変動して電圧が変動する特性変動アナログ素子(5)を内蔵しており、
消耗部品(2)が機器本体(1)に装着される状態で、機器本体(1)により、消耗部品(2)の特性変動アナログ素子(5)の経時的に変動する電圧が検出され、検出された電圧から正規部品と識別される消耗部品。
【手続補正２】
【補正対象書類名】明細書
【補正対象項目名】００１０
【補正方法】変更
【補正の内容】
【００１０】
機器本体１の検出部４は、経時的に複数回にわたって特性変動アナログ素子５の電気特性を検出することができる。さらに、検出部４は、特性変動アナログ素子５の電気抵抗の変化を検出することができる。
また、特性変動アナログ素子5と分圧抵抗を直列接続して電力を供給し、特性変動アナログ素子5に印加される電圧を検出する。
また、本発明の消耗部品は、電子回路を内蔵する機器本体１に脱着できるように連結される消耗部品２であって、消耗部品２は、機器本体１に装着されて通電されると、連続的にアナログ値の電気特性が変動する特性変動アナログ素子５を内蔵しており、消耗部品２が機器本体１に装着される状態で、機器本体１により、消耗部品２の特性変動アナログ素子５の経時的に変動する電気特性が検出され、検出された電気特性から正規部品と識別される。
本発明の消耗部品の識別装置は、電子回路を内蔵する機器本体１と、この機器本体１に脱着できるように連結される消耗部品２とを備えており、消耗部品２は、機器本体１に装着されて通電されると、連続的にアナログ値の電気特性が変動して電圧が変動する特性変動アナログ素子５を内蔵しており、機器本体１は、消耗部品２の特性変動アナログ素子５に通電する通電部３と、この通電部３に通電される特性変動アナログ素子５の変動する電圧を検出する検出部４を内蔵しており、消耗部品２が機器本体１に装着される状態で、機器本体１の検出部４が、消耗部品２の特性変動アナログ素子５の経時的に変動する電圧を検出し、検出された電圧から消耗部品２を正規部品と規格外部品とに識別する。
そして、本発明の消耗部品は、電子回路を内蔵する機器本体１に脱着できるように連結される消耗部品２であって、消耗部品２は、機器本体１に装着されて通電されると、連続的にアナログ値の電気特性が変動して電圧が変動する特性変動アナログ素子５を内蔵しており、消耗部品２が機器本体１に装着される状態で、機器本体１により、消耗部品２の特性変動アナログ素子５の経時的に変動する電圧が検出され、検出された電圧から正規部品と識別される。